(57)【特許請求の範囲】
【請求項１】
モード切り替え方法であって、
環境光の照度値を取得することと、
今回取得された前記照度値が前回取得された照度値より低いか否かを検出することと、
今回取得された前記照度値が前回取得された照度値より低い場合、液晶ディスプレイのバックライト輝度を低減させ、今回取得された前記照度値が前回取得された照度値より高い場合、前記液晶ディスプレイのバックライト輝度を高めることと、を含み、
今回取得された前記照度値が前回取得された照度値より低いと判断した場合、液晶ディスプレイのバックライト輝度を低減させた後、更に、今回取得された前記照度値が所定閾値より低いか否かを検出することと、
前記照度値が前記所定閾値より低い場合、通常の表示モードを終了して、夜間モードを起動し、前記照度値が前記所定閾値より低くない場合、通常の表示モードを保持することと、を含み、
ここで、前記夜間モードとは、前記液晶ディスプレイにおけるグレースケール電圧を、夜間モードレベルに対応する所定の割合に従って低減させる表示モードであることを特徴とするモード切り替え方法。
【請求項２】
前記夜間モードを起動することは、
照度値と夜間モードレベルとの間の対応関係である第１対応関係に基づき、今回取得された前記照度値に対応する夜間モードレベルを検索することと、
前記液晶ディスプレイにおけるグレースケール電圧を前記夜間モードレベルに対応する割合に従って低減させることと、
を含むことを特徴とする請求項１に記載のモード切り替え方法。
【請求項３】
前記液晶ディスプレイのバックライト輝度を低減させることは、
照度値とバックライト輝度との間の対応関係である第２対応関係に基づき、今回取得された前記照度値に対応するバックライト輝度を検索することと、
前記液晶ディスプレイのバックライトを検索された前記バックライト輝度に調整することと、
を含むことを特徴とする請求項１に記載のモード切り替え方法。
【請求項４】
現在の表示モードが、液晶ディスプレイにおけるグレースケール電圧を所定の割合に従って低減させる表示モードである夜間モードである場合、環境光の照度値を取得し、前記所定の割合は夜間モードレベルに対応することと、
今回取得された前記照度値が所定閾値より高いか否かを検出することと、
今回取得された前記照度値が前記所定閾値より高くない場合、今回取得された前記照度値が前回取得された照度値より高いか否かを検出することと、
今回取得された前記照度値が前回取得された照度値より高い場合、照度値と夜間モードレベルとの間の対応関係である第１対応関係に基づき、今回取得された前記照度値に対応する夜間モードレベルを検索することと、
前記液晶ディスプレイにおけるグレースケール電圧を前記夜間モードレベルに対応する割合に従って高めることと、
今回取得された前記照度値が前記所定閾値より高い場合、前記夜間モードを終了して通常の表示モードを起動することと、
を含むことを特徴とするモード切り替え方法。
【請求項５】
前記夜間モードを終了することは、
前記液晶ディスプレイにおけるグレースケール電圧を通常のグレースケール電圧に回復させること、
を含むことを特徴とする請求項４に記載のモード切り替え方法。
【請求項６】
前記夜間モードを終了した後、照度値とバックライト輝度との間の対応関係である第２対応関係に基づき、今回取得された前記照度値に対応するバックライト輝度を検索することと、
前記液晶ディスプレイのバックライトを検索された前記バックライト輝度に調整することと、
を更に含むことを特徴とする請求項４に記載のモード切り替え方法。
【請求項７】
モード切り替え装置であって、
環境光の照度値を取得するように構成された取得モジュールと、
今回取得された前記照度値が前回取得された照度値より低いか否かを検出するように構成された第２検出モジュールと、
今回取得された前記照度値が前回取得された照度値より低い場合、液晶ディスプレイのバックライト輝度を低減させ、今回取得された前記照度値が前回取得された照度値より高い場合、前記液晶ディスプレイのバックライト輝度を高めるように構成された調節モジュールと、
今回取得された前記照度値が前回取得された照度値より低いと判断した場合、液晶ディスプレイのバックライト輝度を低減させた後、今回取得された前記照度値が所定閾値より低いか否かを検出するように構成された第１検出モジュールと、
前記照度値が前記所定閾値より低い場合、通常の表示モードを終了して、夜間モードを起動し、前記照度値が前記所定閾値より低くない場合、通常の表示モードを保持するように構成された起動モジュールと、を含み、
ここで、前記夜間モードとは、前記液晶ディスプレイにおけるグレースケール電圧を、夜間モードレベルに対応する所定の割合に従って低減させる表示モードであることを特徴とするモード切り替え装置。
【請求項８】
前記夜間モードを起動することは、
照度値と夜間モードレベルとの間の対応関係である第１対応関係に基づき、今回取得された前記照度値に対応する夜間モードレベルを検索することと、
前記液晶ディスプレイにおけるグレースケール電圧を前記夜間モードレベルに対応する割合に従って低減させることと、
を含むことを特徴とする請求項７に記載のモード切り替え装置。
【請求項９】
前記液晶ディスプレイのバックライト輝度を低減させることは、
照度値とバックライト輝度との間の対応関係である第２対応関係に基づき、今回取得された前記照度値に対応するバックライト輝度を検索することと、
前記液晶ディスプレイのバックライトを検索された前記バックライト輝度に調整することと、
を含むことを特徴とする請求項７に記載のモード切り替え装置。
【請求項１０】
現在の表示モードが、液晶ディスプレイにおけるグレースケール電圧を所定の割合に従って低減させる表示モードである夜間モードである場合、環境光の照度値を取得し、前記所定の割合は夜間モードレベルに対応するように構成された取得モジュールと、
今回取得された前記照度値が所定閾値より高いか否かを検出するように構成された第１検出モジュールと、
前記照度値が前記所定閾値より高い場合、前記夜間モードを終了して通常の表示モードを起動するように構成された終了モジュールと、
前記照度値が前記所定閾値より高くない場合、今回取得された前記照度値が前回取得された照度値より高いか否かを検出するように構成された第２検出モジュールと、
今回取得された前記照度値が前回取得された照度値より高い場合、照度値と夜間モードレベルとの間の対応関係である第１対応関係に基づき、今回取得された前記照度値に対応する夜間モードレベルを検索し、さらに、前記液晶ディスプレイにおけるグレースケール電圧を前記夜間モードレベルに対応する割合に従って高めるように構成されたレベル設定モジュールと、
を含むことを特徴とするモード切り替え装置。
【請求項１１】
前記夜間モードを終了することは、
前記液晶ディスプレイにおけるグレースケール電圧を通常のグレースケール電圧に回復させること、
を含むことを特徴とする請求項１０に記載のモード切り替え装置。
【請求項１２】
前記夜間モードを終了した後、照度値とバックライト輝度との間の対応関係である第２対応関係に基づき、今回取得された前記照度値に対応するバックライト輝度を検索し、さらに、前記液晶ディスプレイのバックライトを検索された前記バックライト輝度に調整するように構成された調節モジュール、を更に含むことを特徴とする請求項１０に記載のモード切り替え装置。
【請求項１３】
モード切り替え装置であって、
プロセッサと、前記プロセッサの実行可能なコマンドを記憶するメモリと、を含み、
前記プロセッサは、
環境光の照度値を取得し、
今回取得された前記照度値が前回取得された照度値より低いか否かを検出し、
今回取得された前記照度値が前回取得された照度値より低い場合、液晶ディスプレイのバックライト輝度を低減させ、
今回取得された前記照度値が前回取得された照度値より高い場合、前記液晶ディスプレイのバックライト輝度を高め、
今回取得された前記照度値が前回取得された照度値より低いと判断した場合、液晶ディスプレイのバックライト輝度を低減させた後、更に、今回取得された前記照度値が所定閾値より低いか否かを検出し、
前記照度値が前記所定閾値より低い場合、通常の表示モードを終了して、夜間モードを起動し、前記照度値が前記所定閾値より低くない場合、通常の表示モードを保持し、
ここで、前記夜間モードとは、前記液晶ディスプレイにおけるグレースケール電圧を、夜間モードレベルに対応する所定の割合に従って低減させる表示モードであることを特徴とするモード切り替え装置。
【請求項１４】
モード切り替え装置であって、
プロセッサと、前記プロセッサの実行可能なコマンドを記憶するメモリと、を含み、
前記プロセッサは、
現在の表示モードが液晶ディスプレイにおけるグレースケール電圧を所定の割合に従って低減させる表示モードである夜間モードである場合、環境光の照度値を取得し、前記所定の割合は夜間モードレベルに対応し、
今回取得された前記照度値が所定閾値より高いか否かを検出し、
今回取得された前記照度値が前記所定閾値より高くない場合、今回取得された前記照度値が前回取得された照度値より高いか否かを検出し、今回取得された前記照度値が前記所定閾値より高い場合、前記夜間モードを終了して通常の表示モードを起動し、
今回取得された前記照度値が前回取得された照度値より高い場合、照度値と夜間モードレベルとの間の対応関係である第１対応関係に基づき、今回取得された前記照度値に対応する夜間モードレベルを検索し、
前記液晶ディスプレイにおけるグレースケール電圧を前記夜間モードレベルに対応する割合に従って高めるように構成されることを特徴とするモード切り替え装置。
【発明の詳細な説明】
【技術分野】
【０００１】
本願は出願番号がＣＮ２０１５１０４９７８８５．５であり、出願日が２０１５年０８月１３日である中国特許出願に基づいて提出され、該中国特許出願の優先権を主張し、該中国特許出願の全ての内容はここで参考として本願に援用される。
【０００２】
本発明は表示技術分野に関し、特にモード切り替え方法及び装置に関する。
【背景技術】
【０００３】
移動端末、例えばスマートフォン、タブレットパソコンなどはユーザーが最もよく使う電子機器である。
【０００４】
夜間に移動端末を使用する場合、環境光の輝度が低いため、移動端末の表示内容は非常にまぶしい。関連技術は夜間モードを提供し、環境光の輝度が低い場合、ユーザーは手動で夜間モードを起動する。該夜間モードはバックライト輝度を最小に調節し、ＵＩの背景色を黒色、又は他のダーク色調の色に変える。しかしながら、環境光の輝度が極めて低い場合、移動端末の表示内容は依然としてまぶしいままである。
【発明の概要】
【発明が解決しようとする課題】
【０００５】
環境光の輝度が極めて低い場合、バックライト輝度又はＵＩの背景色を調節しても、環境光の輝度に合わないという問題を解決するために、本発明はモード切り替え方法及び装置を提供する。かかる技術案は以下のとおりである。
【課題を解決するための手段】
【０００６】
本発明の実施例の第１態様によれば、
環境光の照度値を取得することと、
今回取得された照度値が所定閾値より低いか否かを検出することと、
照度値が所定閾値より低い場合、液晶ディスプレイにおけるグレースケール電圧を所定の割合に従って低減させる表示モードである夜間モードを起動することと、
を含むモード切り替え方法を提供している。
【０００７】
別の好ましい実施例において、夜間モードを起動することは、
照度値と夜間モードレベルとの間の対応関係である第１対応関係に基づき、今回取得された照度値に対応する夜間モードレベルを検索することと、
液晶ディスプレイにおけるグレースケール電圧を夜間モードレベルに対応する割合に従って低減させることと、を含む。
【０００８】
別の好ましい実施例において、前記方法は、さらに、
今回取得された照度値が前回取得された照度値より低いか否かを検出することと、
今回取得された照度値が前回取得された照度値より低い場合、液晶ディスプレイのバックライト輝度を低減させることと、を含む。
【０００９】
別の好ましい実施例において、液晶ディスプレイのバックライト輝度を低減させることは、
照度値とバックライト輝度との間の対応関係である第２対応関係に基づき、今回取得された照度値に対応するバックライト輝度を検索することと、
液晶ディスプレイのバックライトを検索されたバックライト輝度に調整することと、を含む。
【００１０】
本発明の実施例の第２様態によれば、
現在の表示モードが、液晶ディスプレイにおけるグレースケール電圧を所定の割合に従って低減させる表示モードである夜間モードである場合、環境光の照度値を取得することと、
今回取得された照度値が所定閾値より高いか否かを検出することと、
照度値が所定閾値より高い場合、夜間モードを終了することと、を含むモード切り替え方法を提供している。
【００１１】
別の好ましい実施例において、該方法は、さらに、
今回取得された照度値が所定閾値より高くない場合、今回取得された照度値が前回取得された照度値より高いか否かを検出することと、
今回取得された照度値が前回取得された照度値より高い場合、照度値と夜間モードレベルとの間の対応関係である第１対応関係に基づき、今回取得された照度値に対応する夜間モードレベルを検索することと、
液晶ディスプレイにおけるグレースケール電圧を夜間モードレベルに対応する割合に従って高めることと、を含む。
【００１２】
別の好ましい実施例において、該方法は、
夜間モードを終了した後、照度値とバックライト輝度との間の対応関係である第２対応関係に基づき、今回取得された照度値に対応するバックライト輝度を検索することと、
液晶ディスプレイのバックライトを検索されたバックライト輝度に調整することと、を含む。
【００１３】
本発明の実施例の第３様態によれば、
環境光の照度値を取得するように構成された取得モジュールと、
今回取得された照度値が所定閾値より低いか否かを検出するように構成された第１検出モジュールと、
照度値が所定閾値より低い場合、液晶ディスプレイにおけるグレースケール電圧を所定の割合に従って低減させる表示モードである夜間モードを起動する起動モジュールと、を含むモード切り替え装置を提供している。
【００１４】
別の好ましい実施例において、夜間モードを起動することは、
照度値と夜間モードレベルとの対応関係である第１対応関係に基づき、今回取得された照度値に対応する夜間モードレベルを検索することと、
液晶ディスプレイにおけるグレースケール電圧を夜間モードレベルに対応する割合に従って低減させることと、を含む。
【００１５】
別の好ましい実施例において、該装置は、さらに、
今回取得された照度値が前回取得された照度値より低いか否かを検出するように構成された第２検出モジュールと、
今回取得された照度値が前回取得された照度値より低い場合、前記液晶ディスプレイのバックライト輝度を低減させる調節モジュールと、を含む。
【００１６】
別の好ましい実施例において、液晶ディスプレイのバックライト輝度を低減させることは、
照度値とバックライト輝度との間の対応関係である第２対応関係に基づき、今回取得された照度値に対応するバックライト輝度を検索することと、
液晶ディスプレイのバックライトを検索されたバックライト輝度に調整することと、を含む。
【００１７】
本発明の実施例の第４様態によれば、
現在の表示モードが、液晶ディスプレイにおけるグレースケール電圧を所定の割合に従って低減させる表示モードである夜間モードである場合、環境光の照度値を取得するように構成された取得モジュールと、
今回取得された照度値が所定閾値より高いか否かを検出するように構成された第１検出モジュールと、
照度値が所定閾値より高い場合、夜間モードを終了するように構成された終了モジュールと、を含むモード切り替え装置を提供している。
【００１８】
別の好ましい実施例において、夜間モードを終了することは、
液晶ディスプレイにおけるグレースケール電圧を通常のグレースケール電圧に回復させることを含む。
【００１９】
別の好ましい実施例において、該装置は、さらに、
照度値が所定閾値より高くない場合、今回取得された照度値が前回取得された照度値より高いか否かを検出するように構成された第２検出モジュールと、
今回取得された照度値が前回取得された照度値より高い場合、照度値と夜間モードレベルとの間の対応関係である第１対応関係に基づき、今回取得された照度値に対応する夜間モードレベルを検索し、さらに、液晶ディスプレイにおけるグレースケール電圧を夜間モードレベルに対応する割合に従って高めるように構成されたレベル設定モジュールと、を含む。
【００２０】
別の好ましい実施例において、該装置は、さらに、
夜間モードを終了した後、照度値とバックライト輝度との対応関係である第２対応関係に基づき、今回取得された照度値に対応するバックライト輝度を検索し、さらに、液晶ディスプレイのバックライトを検索されたバックライト輝度に調整するように構成された調節モジュールと、を含む。
【００２１】
本発明の実施例の第４様態によれば、
環境光の照度値を取得し、
今回取得された照度値が所定閾値より低いか否かを検出し、
照度値が所定閾値より低い場合、液晶ディスプレイにおけるグレースケール電圧を所定の割合に従って低減させる表示モードである夜間モードを起動するように構成されたプロセッサと、
プロセッサにより実行可能なコマンドを記憶するメモリと、
を含むモード切り替え装置を提供している。
【００２２】
本発明の実施例の第５様態によれば、
現在の表示モードが、液晶ディスプレイにおけるグレースケール電圧を所定の割合に従って低減させる表示モードである夜間モードである場合、環境光の照度値を取得し、
今回取得された照度値が所定閾値より高い否かを検出し、
照度値が所定閾値より高い場合、夜間モードを終了するように構成されたプロセッサと、
プロセッサにより実行可能なコマンドを記憶するメモリと、
を含むモード切り替え装置を提供している。
【発明の効果】
【００２３】
本発明の実施例により提供される技術案は、下記有益な効果を含むことができる。
【００２４】
環境光の照度値を取得することにより、今回取得された照度値が所定閾値より低いか否かを検出し、今回取得された照度値が所定閾値より低い場合、液晶ディスプレイにおけるグレースケール電圧を所定の割合に従って低減させる表示モードである夜間モードを起動し、さらに、現在の表示モードが夜間モードである場合、環境光の照度値を取得することにより、今回取得された照度値が所定閾値より高いか否かを検出し、今回取得された照度値が所定閾値より高い場合、夜間モードを終了し、環境光の輝度が極めて低い場合、バックライト輝度又はＵＩの背景色を調節しても環境光の輝度に合わないという問題を解決し、環境光の輝度が極めて低い場合、夜間モードに自動的に切り替え、該夜間モードは液晶ディスプレイにおけるグレースケール電圧を低減させることによりディスプレイ輝度を低減させることを実現する効果に達する。
【００２５】
理解すべきことは、以上の一般的な説明と後の詳細な説明は例示的なものに過ぎず、本発明を限定するものではない。
【図面の簡単な説明】
【００２６】
ここの図面は明細書に合せされ本明細書の一部を構成し、本発明に適合する実施例を示し、明細書と共に本発明の原理を解釈するのに用いられる。
【００２７】
【図１】一例示的な実施例により示されたモード切り替え方法のフローチャートである。
【図２Ａ】一例示的な実施例により示されたもう一つのモード切り替え方法のフローチャートである。
【図２Ｂ】図２Ａにおけるステップ２０３のサブステップのフローチャートである。
【図２Ｃ】図２Ａにおけるステップ２０７のサブステップのフローチャートである。
【図３】ＴＦＴ−ＬＣＤにおけるアレイ基板構造の模式図である。
【図４】一例示的な実施例により示されたモード切り替え方法のフローチャートである。
【図５】一例示的な実施例により示されたもう一つのモード切り替え方法のフローチャートである。
【図６】一例示的な実施例により示されたもう一つのモード切り替え装置のブロック図である。
【図７】一例示的な実施例により示されたもう一つのモード切り替え装置のブロック図である。
【図８】一例示的な実施例により示されたモード切り替え装置のブロック図である。
【図９】一例示的な実施例により示されたもう一つのモード切り替え装置のブロック図である。
【図１０】一例示的な実施例により示されたモード切り替え装置のブロック図である。
【発明を実施するための形態】
【００２８】
ここで例示的な実施例について詳しく説明し、その実例は図面に示す通りである。下記の説明が図面に関するとき、別途に表示されない限り、異なる図面における同じ数字は同じ又は類似する要素を表示する。以下の例示的な実施例に説明される実施形態は本発明と一致する全ての実施形態を表す訳ではない。逆に、それらは特許請求の範囲に詳細に記載された本発明の一部の態様と一致する装置と方法の例に過ぎない。
【００２９】
本発明により提供された実施例はいずれも移動端末を例として説明するが、該移動端末には少なくとも照度センサと液晶ディスプレイが含まれ、液晶ディスプレイにはバックライト、ＴＦＴ（Ｔｈｉｎ  Ｆｉｌｍ  Ｔｒａｎｓｉｓｔｏｒ、薄膜トランジスタ）スイッチ素子、液晶セルなどが含まれる。照度センサは現在の環境光の照度値を取得するのに用いられ、液晶ディスプレイは移動端末の出力内容を表示するのに用いられ、バックライトは液晶ディスプレイの輝度を制御するのに用いられ、ＴＦＴスイッチ素子は液晶ディスプレイにおいて対応する液晶セルのグレースケール電圧を制御するのに用いられる。
【００３０】
移動端末が通常の表示モードである場合、ユーザーは通常の照度値の環境から照度値が低い環境に入った場合、移動端末の表示モードは照度値の変化に伴って変化する。以下の実施例を参照する。
【００３１】
図１は、一例示的な実施例により示されたモード切り替え方法のフローチャートである。本実施例は該モード切り替え方法を照度センサと液晶ディスプレイが含まれる移動端末に用いることを例として説明する。該モード切り替え方法は以下のステップを含む。
【００３２】
ステップ１０１において、環境光の照度値を取得する。
【００３３】
ステップ１０２において、今回取得された照度値が所定閾値より低いか否かを検出する。
【００３４】
ステップ１０３において、照度値が所定閾値より低い場合、液晶ディスプレイにおけるグレースケール電圧を所定の割合に従って低減させる表示モードである夜間モードを起動する。
【００３５】
要するに、本実施例により提供されたモード切り替え方法は、環境光の照度値を取得することにより、今回取得された照度値が所定閾値より低いか否かを検出し、今回取得された照度値が所定閾値より低い場合、液晶ディスプレイにおけるグレースケール電圧を所定の割合に従って低減させる表示モードである夜間モードを起動し、環境光の輝度が極めて低い場合、バックライト輝度又はＵＩの背景色を調節しても環境光の輝度に合わないという問題を解決し、環境光の輝度が極めて低い場合、液晶ディスプレイにおけるグレースケール電圧を低減させることによりディスプレイ輝度を低減させることを実現する効果に達する。
【００３６】
図２Ａは、一例示的な実施例により示されたもう一つのモード切り替え方法のフローチャートであり、本実施例は該モード切り替え方法を照度センサと液晶ディスプレイが含まれる移動端末に用いることを例として説明する。該モード切り替え方法は以下のステップを含む。
【００３７】
ステップ２０１において、現在の環境光の照度を表す環境光の照度値を取得する。
【００３８】
移動端末が通常の表示モードである場合、移動端末は現在の環境光の照度値を所定の時間ごとに一回取得し、
移動端末は内蔵された照度センサによって現在の環境光の照度値を取得することが好ましいが、本実施例では環境光の照度値に対する取得手段を限定しない。
【００３９】
ステップ２０２において、今回取得された照度値が前回取得された照度値より低いか否かを検出する。
【００４０】
移動端末は現在の環境光の照度値を所定の時間間隔ごとに一回取得するため、移動端末は今回取得された照度値と前回取得された照度値を比較して、今回取得された照度値は前回取得された照度値より低いか否かを検出する。
【００４１】
前回取得された照度値より低い場合、ステップ２０３に入り、前回取得された照度値より高い場合、ステップ２０４に入る。
【００４２】
ステップ２０３において、今回取得された照度値が前回取得された照度値より低い場合、液晶ディスプレイのバックライト輝度を低減させる。
【００４３】
本ステップは、図２Ｂに示すように以下のステップを含み、
ステップ２０３ａにおいて、照度値とバックライト輝度との間の対応関係である第２対応関係に基づき、今回取得された照度値に対応するバックライト輝度を検索する。
【００４４】
一つの環境光の照度値区間は一つのバックライト輝度に対応し、環境光の照度値に対する区間分割を行うことにより異なるバックライト輝度を取得し、即ち、環境光の照度値が低くなるに伴い、バックライト輝度も低くなることが好ましい。
【００４５】
例示的に、環境光の照度値が０−５００ｌｘであると仮定し、そのうち、ｌｘは照度の単位としてのルクスであり、環境光の照度値を５０ごとに一つの区間とし、環境光の照度値の区間は、異なるレベルのバックライト輝度に対応する。照度値が５０ｌｘより低いと仮定した場合、バックライトを最小のバックライト輝度に調節しても現在の照度値の要求に合うことができず、対応関係は以下の表に示す。
【００４６】
【表１】
0006526814.tif 000002
【００４７】
環境光の照度値区間とバックライト輝度レベルとの対応関係は第２対応関係と称される。現在の環境光の照度値が７５である場合、表１における対応関係によれば、この時の移動端末のバックライト輝度はレベル１であることが分かる。バックライト輝度のレベルが低ければ低いほど、輝度は低く、バックライト輝度レベルが高ければ高いほど、輝度は高い。
【００４８】
ステップ２０３ｂにおいて、液晶ディスプレイのバックライトを検索されたバックライト輝度に調整する。
【００４９】
第２対応関係と今回取得された照度値に基づき、液晶ディスプレイのバックライトを今回取得された照度値に対応するバックライト輝度に調整する。
【００５０】
ステップ２０４において、今回取得された照度値が前回取得された照度値より高い場合、液晶ディスプレイのバックライト輝度を高める。
【００５１】
上記過程は図２Ｂに示すような方法を用いて高めることができる。
【００５２】
ステップ２０５において、今回取得された照度値が所定閾値より低い否かを検出する。
バックライト輝度を低減させた後、端末はさらに今回取得された照度値が所定の閾値より低いか否かを検出する。
【００５３】
所定の閾値とは開発者らが複数回の検出を繰り返して得た経験値を指し、該経験値はバックライトの最小輝度が環境光の照度値を満足できないときの照度値であることが好ましい。
【００５４】
照度値が所定閾値より低くない場合、ステップ２０６に入り、照度値が所定閾値より低い場合、ステップ２０７に入る。
【００５５】
ステップ２０６において、照度値が所定閾値より低くない場合、通常の表示モードを保持する。
【００５６】
今回取得された環境光の照度値が所定閾値より低くない場合、現在の照度値の輝度に適応するようにバックライト輝度を低減させる。
【００５７】
ステップ２０７において、照度値が所定閾値より低い場合、夜間モードを起動する。
【００５８】
今回取得された環境光の照度値と所定閾値の大きさを比較する。
【００５９】
今回取得された環境光の照度値が所定閾値より低い場合、夜間モードを起動する。
【００６０】
今回取得された環境光の照度値が所定閾値より低くない場合、現在の照度値の輝度に適応するようにバックライトの輝度を低減させることが好ましい。
【００６１】
本ステップは、図２Ｃに示すように以下のステップを含むことができる。
【００６２】
ステップ２０７ａにおいて、環境光の照度値と夜間モードレベルとの間の対応関係である第１対応関係に基づき、今回取得された照度値に対応する夜間モードレベルを検索する。
【００６３】
一つの環境光の照度値区間は一つの夜間モードレベルに対応し、環境光の照度値に対する区間分割を行うことにより異なる夜間モードレベルを取得し、即ち、環境光の照度値が低くなるに伴い、夜間モードレベルは高くなることが好ましい。
【００６４】
例えば、上記表１によれば、照度値が０−５０ｌｘである場合、バックライトの最小輝度が現在の照度値の要求に合わないことが分かる。所定閾値が５０ｌｘであると仮定し、環境光の照度値を１０ごとに一つの区間として、即ち、計５個の区間があり、環境光の照度値の区間は夜間モードレベルに対応し、環境光の照度値区間と夜間モードレベルとのレベル対応関係は第１対応関係と称される。具体的な対応関係は以下の表に示す。
【００６５】
【表２】
0006526814.tif 000003
【００６６】
現在の環境光の照度値が２５である場合、表２における対応関係によれば、この時の移動端末は夜間モードであり、且つ夜間モードレベルはレベル３であることが分かる。
【００６７】
本実施例において、表１と表２における照度値と対応するバックライトレベルと対応する夜間モードレベルは例示的なものに過ぎず、本実施例は両者の対応関係を詳しく限定しない。
【００６８】
ステップ２０７ｂにおいて、各液晶表示セルとデータ駆動チップにおけるデータ線に接続されたドレイン電極電圧である液晶ディスプレイにおけるグレースケール電圧を夜間モードレベルに対応する割合に従って低減させる。
【００６９】
図３は、ＴＦＴ−ＬＣＤにおけるアレイ基板構造の模式図である。アレイ形式で配列された液晶画素電極１、液晶画素電極１のアレイの間に設置されたデータ線２及び走査線３を含み、データ線２はデータ駆動チップ４に接続され、走査線３は走査駆動チップ５に接続され、一般的に１本のデータ線２は一列の液晶画素電極１に対応的に制御するように接続され、１本の走査線３は一行の液晶画素電極１に対応的に制御するように接続される。各液晶画素電極１にはソース電極６が接続され、各ソース電極６に対応するようにドレイン電極７が設置され、ドレイン電極７は対応するデータ線２に接続され、各対のソース電極６とドレイン電極７の下にはゲート電極８が設置され、ゲート電極は対応する走査線３に接続される。ソース電極６、ドレイン電極７及びゲート電極８によりＴＦＴスイッチ素子を構成する。
【００７０】
アレイ基板が動作する場合、液晶画素電極の電圧を制御するように、データ線２はデータ駆動チップ４におけるビデオデータ信号をＴＦＴスイッチ素子のドレイン電極７に伝送するのに用いられる。
【００７１】
液晶表示装置が動作する場合、１フレームの画面に対して、データ駆動チップ４はビデオデータ信号を、データ線２を介してドレイン電極７に伝送し、走査駆動チップ５は1行ずつオンするように走査線３を制御し、よってデータ駆動チップ４は対応するデータ電圧を画素電極１に記憶して、各レベルのグレースケール電圧を形成し、各フレーム画面の表示を実現する。
【００７２】
液晶ディスプレイにおけるグレースケール電圧はＴＦＴ−ＬＣＤアレイ基板におけるドレイン電極の電圧に対応し、即ち、移動端末はＴＦＴ−ＬＣＤアレイ基板におけるドレイン電極の電圧を変えることにより、液晶ディスプレイにおけるグレースケール電圧を変える。該グレースケール電圧は所定の対応関係を有し、例えば、グレースケール２５５はグレースケール電圧Ａに対応し、グレースケール２１５はグレースケール電圧Ｂに対応し、該対応関係は一つの曲線であってもよい。
【００７３】
初期設定の対応関係に基づき、本実施例における夜間モードは各グレースケールに対応するグレースケール電圧を所定の割合に従って低減させて実現するものである。例えば、所定の割合が８５％である場合、夜間モードにおいて、グレースケール２５５に対応するグレースケール電圧はＡ＊８５％であり、グレースケール２１５に対応するグレースケール電圧はＢ＊８５％である。
【００７４】
夜間モードレベルは異なる所定の割合によって液晶ディスプレイにおけるグレースケール電圧を低減させて実現し、即ち、夜間モードレベルと液晶ディスプレイにおけるグレースケール電圧を低減させた場合の所定の割合との間に対応関係が存在する。移動端末は夜間モードレベルに基づき、所定の割合によって液晶ディスプレイにおけるグレースケール電圧を変えることにより、現在の環境照度値に対応する夜間モードレベルを実現する。
【００７５】
例示的に、夜間モードレベルと所定の割合との対応関係は下記表に示す。
【００７６】
【表３】
0006526814.tif 000004
【００７７】
表２における対応関係に基づき、現在の環境の照度値に対応する夜間モードレベルはレベル３であり、その場合、液晶ディスプレイにおけるグレースケール電圧を変えることにより夜間モードレベルを実現する。即ち、液晶ディスプレイにおけるグレースケール電圧を６５％の通常グレースケール電圧に変えることにより、レベル３の夜間モードを実現する。
【００７８】
本実施例において、表３における夜間モードレベルと所定の割合との対応関係は例示的な説明に過ぎず、本実施例において、両者の間の対応関係を限定しない。
【００７９】
なお、液晶ディスプレイのグレースケール電圧を低減させる以外に、本実施例により提供された夜間モードはバックライト輝度を最小に調節し又はＵＩの背景色を黒色、又は他のダーク色調の色に変えるなどの他の処理操作をさらに含むことができる。本実施例はバックライト輝度を最小に調節しても現在の環境光の照度値に合わない場合、液晶ディスプレイの表示輝度をさらに低減させる。
【００８０】
要するに、本実施例により提供されたモード切り替え方法は、環境光の照度値を取得することにより、今回取得された照度値が前回取得された照度値より低いか否かを検出し、今回取得された照度値が前回取得された照度値より低い場合、液晶ディスプレイのバックライト輝度を低減させ、今回取得された照度値が所定閾値より低いか否かを検出し、今回取得された照度値が所定閾値より低い場合、液晶ディスプレイにおけるグレースケール電圧を所定の割合に従って低減させる表示モードである夜間モードを起動し、環境光の輝度が極めて低い場合、バックライト輝度又はＵＩの背景色を調節しても環境光の輝度に合わないという問題を解決し、液晶ディスプレイにおけるグレースケール電圧を低減させることによりディスプレイの輝度を低減させることを実現する効果に達する。
【００８１】
移動端末が夜間モード状態である場合、ユーザーは照度値が低い環境から照度値が高い環境に入った場合、夜間モードにおいて、移動端末の操作内容は鮮明に表示されず、操作できない状況になってしまう。以下の実施例を参照する。
【００８２】
図４は、一例示的な実施例により示されたモード切り替え方法のフローチャートであり、該モード切り替え方法は下記ステップを含む。
【００８３】
ステップ４０１において、現在の表示モードが、液晶ディスプレイにおけるグレースケール電圧を所定の割合に従って低減させる表示モードである夜間モードである場合、環境光の照度値を取得する。
【００８４】
ステップ４０２において、今回取得された照度値が所定閾値より高いか否かを検出する。
【００８５】
ステップ４０３において、照度値が所定閾値より高い場合、夜間モードを終了する。
【００８６】
要するに、本実施例により提供されたモード切り替え方法は、現在の表示モードが夜間モードである場合、環境光の照度値を取得することにより、今回取得された照度値が所定閾値より高いか否かを検出し、今回取得された照度値が所定閾値より高い場合、夜間モードを終了し、現在の表示モードが夜間モードである場合、環境光の照度値の上昇により、移動端末が操作できないという問題を解決し、液晶ディスプレイにおけるグレースケール電圧とバックライト輝度を高めることによりディスプレイの輝度を高めることを実現する効果に達する。
【００８７】
図５は、一例示的な実施例により示されたもう一つのモード切り替え方法のフローチャートであり、該モード切り替え方法は以下のステップを含む。
【００８８】
ステップ５０１において、現在の表示モードが液晶ディスプレイにおけるグレースケール電圧を所定の割合に従って低減させる表示モードである夜間モードであるとき、環境光の照度値を取得する。
【００８９】
環境光の照度値は現在の環境における照度を表し、環境光の変化状況の検出が容易であるため、移動端末は現在の環境光の照度値を所定の時間ごとに一回取得する。
【００９０】
ステップ５０２において、今回取得された照度値が所定の閾値より高いか否かを検出する。
【００９１】
所定の閾値とは移動端末により複数回の検出を繰り返して得た経験値であり、該経験値はバックライトの最小輝度が環境光の照度値を満足させることができないときの照度値であることが好ましい。
【００９２】
ステップ５０３において、今回取得された照度値が所定閾値より高くない場合、今回取得された照度値が前回取得された照度値より高いか否かを検出する。
【００９３】
今回取得された照度値が所定閾値より高くない場合、今回取得された照度値と前回取得された照度値を比較して、今回取得された照度値が前回取得された照度値より高いか否かを検出する。
【００９４】
ステップ５０４において、今回取得された照度値が前回取得された照度値より高い場合、環境光の照度値と夜間モードレベルとの間の対応関係である第１対応関係に基づき、今回取得された照度値に対応する夜間モードレベルを検索する。
【００９５】
一つの環境光の照度値区間は一つの夜間モードレベルに対応し、環境光の照度値に対する区間分割を行うことにより異なる夜間モードレベルを取得し、即ち、環境光の照度値が低くなるに伴い、夜間モードレベルが高くなることが好ましい。
【００９６】
例えば、表２における対応関係に基づき、現在の夜間モードがレベル３であると仮定し、今回取得された照度値が第２区間に属する場合、現在の夜間モードをレベル２に高める。
【００９７】
ステップ５０５において、各液晶表示セルがデータ駆動チップにおけるデータ線に接続されたドレイン電極電圧である液晶ディスプレイにおけるグレースケール電圧を夜間モードレベルに対応する割合に従って低減させる。
【００９８】
夜間モードレベルと夜間ディスプレイにおけるグレースケール電圧との対応関係は表３に示すとおりである。
【００９９】
例えば、現在の夜間モードがレベル３であると仮定し、今回取得された照度値が第２区間に属する場合、即ち夜間モードのレベル２に対応する場合、対応的に、液晶ディスプレイにおけるグレースケール電圧をレベル３に対応する６５％の通常のグレースケール電圧から７５％の通常のグレースケール電圧に高める。
【０１００】
ステップ５０６において、今回取得された照度値が所定閾値より高い場合、夜間モードを終了する。
【０１０１】
移動端末が夜間モードを終了することは、液晶ディスプレイにおけるグレースケール電圧を通常のグレースケール電圧に回復させることと、
今回取得された照度値が所定閾値より高い場合、各液晶表示セルがデータ駆動チップにおけるデータ線に接続されたドレイン電極の電圧を通常の電圧状態に回復させることと、を含む。
【０１０２】
ステップ５０７において、夜間モードを終了した後、照度値とバックライト輝度との対応関係である第２対応関係に基づき、今回取得された照度値に対応するバックライト輝度を検索する。
【０１０３】
一つの環境光の照度値区間は一つのバックライト輝度に対応し、環境光の照度値に対する区間分割を行うことにより異なるバックライト輝度を取得し、即ち、環境光の照度値が高くなるに伴い、バックライト輝度が高くなることが好ましい。
【０１０４】
照度値とバックライト輝度との間の対応関係は表１に示す通りであり、関連説明はステップ２０３ａを参照する。
【０１０５】
ステップ５０８において、液晶ディスプレイのバックライトを検索されたバックライト輝度に調整する。
【０１０６】
第２対応関係と今回取得された照度値に基づき、液晶ディスプレイのバックライトを今回取得された照度値に対応するバックライト輝度に調整する。
【０１０７】
要するに、本実施例により提供されたモード切り替え方法は、現在の表示モードが夜間モードである場合、環境光の照度値を取得することにより、今回取得された照度値が所定閾値より高いか否かを検出し、今回取得された照度値が所定閾値より高くない場合、今回取得された照度値が前回取得された照度値より高いか否かを検出し、今回取得された照度値が前回取得された照度値より高い場合、今回取得された照度値に対応する夜間モードレベルを検索し、今回取得された照度値が所定閾値より高い場合、夜間モードを終了し、液晶ディスプレイにおけるグレースケール電圧を通常のグレースケール電圧に回復させ、液晶ディスプレイのバックライトを検索されたバックライト輝度に調整させ、現在の表示モードが夜間モードである場合、環境光の照度値の上昇により、移動端末が操作できないという問題を解決し、夜間ディスプレイにおけるグレースケール電圧とバックライト輝度を高めることによりディスプレイ輝度を高めることを実現する効果に達する。
【０１０８】
以下は本発明に関わる装置の実施例であり、本発明に関わる方法の実施例を実行するのに用いることができる。本発明に関わる装置の実施例に開示されていない詳細説明については、本発明に関わる方法の実施例を参照する。
【０１０９】
図６は、一例示的な実施例により示されたモード切り替え装置のブロック図であり、該モード切り替え装置はソフトウェア、ハードウェア又は両者の組み合わせにより移動端末の全部又は一部として実現する。該モード切り替え装置は、
環境光の照度値を取得するように構成された取得モジュール６０１と、
今回取得された照度値が所定閾値より低いか否かを検出するように構成された第１検出モジュール６０２と、
照度値が所定閾値より低い場合、液晶ディスプレイにおけるグレースケール電圧を所定の割合に従って低減させる表示モードである夜間モードを起動するように構成された起動モジュール６０３と、を含む。
【０１１０】
要するに、本実施例により提供されたモード切り替え装置は、環境光の照度値を取得することにより、今回取得された照度値が所定閾値より低いか否かを検出し、今回取得された照度値が所定閾値より低い場合、液晶ディスプレイにおけるグレースケール電圧を所定の割合に従って低減させる表示モードである夜間モードを起動し、環境光の輝度が極めて低い場合、バックライト輝度又はＵＩの背景色を調節しても環境光の輝度に合わないという問題を解決し、液晶ディスプレイにおけるグレースケール電圧を低減させることによりディスプレイの輝度を低減させることを実現する効果に達する。
【０１１１】
図７は、一例示的な実施例により示されたもう一つのモード切り替え装置のブロック図であり、該モード切り替え装置はソフトウェア、ハードウェア又は両者の組み合わせにより、移動端末の全部又は一部として実現することができる。該モード切り替え装置は、
環境光の照度値を取得するように構成された取得モジュール７０１と、
今回取得された照度値が前回取得された照度値より低いか否かを検出するように構成された第２検出モジュール７０２と、
今回取得された照度値が前回取得された照度値より低い場合、液晶ディスプレイのバックライト輝度を低減させるように構成された調節モジュール７０３と、
照度値とバックライト輝度との間の対応関係である第２対応関係に基づき、今回取得された照度値に対応するバックライト輝度を検索するように構成された第１検索モジュール７０３ａと、
液晶ディスプレイのバックライトを検索されたバックライト輝度に調整するように構成された第１調整モジュール７０３ｂと、
今回取得された照度値が所定閾値より低いか否かを検出するように構成された第１検出モジュール７０４と、
今回取得された照度値が所定閾値より低い場合、液晶ディスプレイにおけるグレースケール電圧を所定の割合に従って低減させる表示モードである夜間モードを起動するように構成された起動モジュール７０５と、
照度値と夜間モードレベルとの間の対応関係である第１対応関係に基づき、今回取得された照度値に対応する夜間モードレベルを検索するように構成された第２検索モジュール７０５ａと、
液晶ディスプレイにおけるグレースケール電圧を夜間モードレベルに対応する割合に従って低減させるように構成された第２調整モジュール７０５ｂと、を含む。
【０１１２】
要するに、本実施例により提供されたモード切り替え装置は、環境光の照度値を取得することにより、今回取得された照度値が前回取得された照度値より低いか否かを検出し、今回取得された照度値が前回取得された照度値より低い場合、液晶ディスプレイのバックライト輝度を低減させ、今回取得された照度値が所定閾値より低いか否かを検出し、今回取得された照度値が所定閾値より低い場合、液晶ディスプレイにおけるグレースケール電圧を所定の割合に従って低減させる表示モードである夜間モードを起動し、環境光の輝度が極めて低い場合、バックライト輝度又はＵＩの背景色を調節しても環境光の輝度に合わないという問題を解決し、液晶ディスプレイにおけるグレースケール電圧を低減させることによりディスプレイの輝度を低減させることを実現する効果に達する。
【０１１３】
上記実施例における装置について、各モジュールの操作を実行する具体的な態様は既に関連方法に関わる実施例において詳細に説明したため、ここでその詳細な説明を省略する。
【０１１４】
図８は一例示的実施例により示されたモード切り替え装置のブロック図であり、該モード切り替え装置はソフトウェア、ハードウェア又は両者の組み合わせにより、移動端末の全部又は一部として実現する。該モード切り替え装置は、
現在の表示モードが、液晶ディスプレイにおけるグレースケール電圧を所定の割合に従って低減させる表示モードである夜間モードである場合、環境光の照度値を取得するように構成された取得モジュール８０１と、
今回取得された照度値が所定閾値より高いか否かを検出するように構成された第１検出モジュール８０２と、
照度値が所定閾値より高い場合、夜間モードを終了するように構成された終了モジュール８０３と、を含むことができる。
【０１１５】
要するに、本実施例により提供されたモード切り替え装置は、現在の表示モードが夜間モードである場合、環境光の照度値を取得することにより、今回取得された照度値が所定閾値より高いか否かを検出し、今回取得された照度値が所定閾値より高い場合、夜間モードを終了し、現在の表示モードが夜間モードである場合、環境光の照度値の上昇により、移動端末が操作できないという問題を解決し、液晶ディスプレイにおけるグレースケール電圧とバックライト輝度を高めることによりディスプレイの輝度を高めることを実現する効果に達する。
【０１１６】
図９は、一例示的な実施例により示されたもう一つのモード切り替え装置のブロック図であり、該モード切り替え装置はソフトウェア、ハードウェア又は両者の組み合わせにより、移動端末の全部又は一部として実現することができる。該モード切り替え装置は、
現在の表示モードが、液晶ディスプレイにおけるグレースケール電圧を所定の割合に従って低減させる表示モードである夜間モードである場合、環境光の照度値を取得するように構成された取得モジュール９０１と、
今回取得された照度値が所定閾値より高いか否かを検出するように構成された第１検出モジュール９０２と、
照度値が所定閾値より高くない場合、今回取得された照度値が前回取得された照度値より高いか否かを検出するように構成された第２検出モジュール９０３と、
今回取得された照度値が前回取得された照度値より高い場合、環境光の照度値と夜間モードレベルとの間の対応関係である第１対応関係に基づき、今回取得された照度値に対応する夜間モードレベルを検索するように構成された第１検索モジュール９０４と、
液晶ディスプレイにおけるグレースケール電圧を夜間モードレベルに対応する割合に従って高めるように構成された第１調整モジュール９０５と、
照度値が所定閾値より高い場合、夜間モードを終了するように構成された終了モジュール９０６と、
液晶ディスプレイにおけるグレースケール電圧を通常のグレースケール電圧に回復させるように構成された第２調整モジュール９０６ａと、
夜間モードを終了した後、照度値とバックライト輝度との間の対応関係である第２対応関係に基づき、今回取得された照度値に対応するバックライト輝度を検索するように構成された第２検索モジュール９０７と、
液晶ディスプレイのバックライトを検索されたバックライト輝度に調整するように構成された調節モジュール９０８と、を含む。
【０１１７】
上記実施例における装置について、各モジュールの操作を実行する具体的な態様は既に該方法に関わる実施例において詳細に説明したため、ここでその詳細な説明を省略する。
【０１１８】
要するに、本実施例により提供されたモード切り替え装置は、現在の表示モードが夜間モードである場合、環境光の照度値を取得することにより、今回取得された照度値が所定閾値より高いか否かを検出し、今回取得された照度値が所定閾値より高くない場合、今回取得された照度値が前回取得された照度値より高いか否かを検出し、今回取得された照度値が前回取得された照度値より高い場合、今回取得された照度値に対応する夜間モードレベルを検索し、今回取得された照度値が所定閾値より高い場合、夜間モードを終了し、液晶ディスプレイにおけるグレースケール電圧を通常のグレースケール電圧に回復させ、液晶のディスプレイのバックライトを検索されたバックライト輝度に調整し、現在の表示モードが夜間モードである場合、環境光の照度値の上昇により、移動端末が操作できないという問題を解決し、夜間ディスプレイにおけるグレースケール電圧とバックライト輝度を高めることによりディスプレイ輝度を高めることを実現する効果に達する。
【０１１９】
図１０は、一例示的な実施例により示されたモード切り替え装置のブロック図である。例えば、装置１０００は、携帯電話、コンピュータ、デジタル放送端末、メッセージ送受信装置、ゲームコンソール、タブレット型装置、医療機器、運動器具、パーソナルデジタルアシスタントなどであってもよい。
【０１２０】
図１０を参照し、装置１０００は、処理部材１００２、メモリ１００４、電源部材１００６、マルチメディア部材１００８、オーディオ部材１０１０、入力／出力（Ｉ／Ｏ）インタフェース１０１２、センサ部材１０１４、及び通信部材１０１６のうちの一つ又は複数の部材を含むことができる。
【０１２１】
処理部材１００２は、一般的に装置１０００の全体的操作、例えば表示、電話の呼び出し、データ通信、カメラ操作及び記録操作に関わる操作を制御する。処理部材１００２は、上記方法の全部又は一部のステップを完成するために、コマンドを実行する一つ又は複数のプロセッサ１０１８を含むことができる。また、処理部材１００２は、その他の部材とのインタラクションが容易であるように、一つ又は複数のモジュールを含むことができる。例えば、処理部材１００２は、マルチメディア部材１００８と処理部材１００２とのインタラクションが容易であるように、マルチメディアモジュールを含むことができる。
【０１２２】
メモリ１００４は、装置１０００における操作をサポートするように、様々な種類のデータを記憶するように構成される。これらのデータの実例は、装置１０００において操作される如何なるアプリケーション又は方法のコマンド、連絡先データ、電話帳データ、メッセージ、ピクチャ、ビデオなどを含む。メモリ１００４は、如何なる種類の揮発性又は不揮発性メモリ又はそれらの組み合わせ、例えばスタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【０１２３】
電源部材１００６は、装置１０００の様々な部材に対し電力を提供する。電源部材１００６は、電源管理システム、一つ又は複数の電源、及びその他の装置１０００に対する電力の生成、管理及び供給に関連する部材を含むことができる。
【０１２４】
マルチメディア部材１００８は、装置１０００とユーザーの間の出力インタフェースを提供するスクリーンを含む。一部の実施例において、スクリーンは液晶ディスプレイ（ＬＣＤ）とタッチパネル（ＴＰ）を含むことができる。スクリーンにタッチパネルが含まれる場合、ユーザーからの入力信号を受信するために、スクリーンはタッチスクリーンで実現されることができる。タッチパネルは、タッチ、スワイプ及びタッチパネルにおけるジェスチャーを感知するために、一つ又は複数のタッチセンサを含む。タッチセンサは、タッチ又はスワイプ動作の境界を感知するとともに、タッチ又はスワイプ動作に関わる持続時間及び圧力を検出することができる。一部の実施例において、マルチメディア部材１００８は、フロントカメラ及び／又はバックカメラを含む。装置１０００が操作モードである場合、例えば、撮影モード又はビデオモードである場合、フロントカメラ及び／又はバックカメラは外部のマルチメディアデータを受信することができる。各フロントカメラ及びバックカメラは、固定された光学レンズシステムであってもよく、又は焦点距離と光学ズーム能力を有する。
【０１２５】
オーディオ部材１０１０は、オーディオ信号を出力及び／又は入力するように構成される。例えば、オーディオ部材１０１０は、マイクロフォン（ＭＩＣ）を含み、装置１０００が操作モードである場合、例えば、呼び出しモード、記録モード、音声認識モードである場合、マイクロフォンは外部のオーディオ信号を受信するように構成される。受信されたオーディオ信号は、さらにメモリ１００４に記憶され、又は通信部材１０１６を介して送信される。一部の実施例において、オーディオ部材１０１０は、さらにオーディオ信号を出力するスピーカーを含む。
【０１２６】
Ｉ／Ｏインタフェース１０１２は、処理部材１０１２と周辺インタフェースモジュールの間にインタフェースを提供し、上記周辺インタフェースモジュールは、キーボード、クリックホイール、ボタンなどであってもよい。これらのボタンは、ホームボタン、ボリュームボタン、スタートボタン及びロックボタンを含むことができるがこれに限定されない。
【０１２７】
センサ部材１０１４は、装置１０００に対し各方面の状態評価を提供するための一つ又は複数のセンサを含む。例えば、センサ部材１０１４は、装置１０００のオン／オフ状態、部材の相対的位置決めを検出することができ、例えば、部材が装置１０００のディスプレイ及びキーパッドであり、センサ部材１０１４は、さらに装置１０００又は装置１０００の一つの部材の位置変化、ユーザーと装置１０００との接触の有無、装置１０００の方角又は加速／減速及び装置１０００の温度変化を検出することができる。センサ部材１０１４は、近接センサを含むことができ、如何なる物理的接触がない時、近傍物体の存在を検出するように構成される。センサ部材１０１４は、さらにイメージングアプリケーションに用いられる光学センサ、例えば、ＣＭＯＳ又はＣＣＤイメージセンサを含むことができる。一部の実施例において、該センサ部材１０１４は、さらに加速度センサ、ジャイロセンサ、磁気センサ、圧力センサ又は温度センサを含むことができる。
【０１２８】
通信部材１０１６は、装置１０００とその他の装置との有線又は無線による通信が容易であるように構成される。装置１０００は、通信標準に基づく無線ネットワーク、例えば、Ｗｉ−Ｆｉ、２Ｇ又は３Ｇ、又はそれらの組み合わせにアクセスすることができる。一例示的な実施例において、通信部材１０１６は、放送チャネルを介して外部放送管理システムからの放送信号又は放送関連情報を受信する。一例示的な実施例において、通信部材１０１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）及びその他の技術に基づいて実現することができる。
【０１２９】
一例示的な実施例において、装置１０００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラー、マイクロコントローラー、マイクロプロセッサ又はその他の電子部品により実現することができ、上記モード切り替え方法を実行するのに用いられる。
【０１３０】
一例示的な実施例において、さらに、コマンドを含む非一時的コンピュータ可読記憶媒体、例えばコマンドを含むメモリ１００４を提供し、上記モード切り替え方法を完成するために、上記コマンドは装置１０００のプロセッサ１０１８により実行することができる。例えば、非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【０１３１】
当業者であれば、明細書を考慮しここに開示された発明を実践した後、本発明のその他の実施態様を容易に想到できる。本願は、本発明の如何なる変形、用途又は適応的変化を含むためのものであり、これらの変形、用途又は適応的変化は本発明の一般的な原理に準じ、本発明の開示されていない本技術分野における公知常識又は慣用の技術手段を含む。明細書と実施例は例示的なものに過ぎず、本発明の実際の範囲と精神は特許請求の範囲により与えられる。
【０１３２】
理解すべきことは、本発明は既に上記のように説明され、図面に示された正確な構造に限定されず、その範囲を逸脱しない限りにおいて様々な修正や変更を行うことができる。本発明の範囲は特許請求の範囲のみにより限定される。
【図１】
0006526814.tif 000005
【図２Ａ】
0006526814.tif 000006
【図２Ｂ】
0006526814.tif 000007
【図２Ｃ】
0006526814.tif 000008
【図３】
0006526814.tif 000009
【図４】
0006526814.tif 000010
【図５】
0006526814.tif 000011
【図６】
0006526814.tif 000012
【図７】
0006526814.tif 000013
【図８】
0006526814.tif 000014
【図９】
0006526814.tif 000015
【図１０】
0006526814.tif 000016